(57)【要約】【課題】上方へ付勢したステムに付設したキャップ状部材に櫛歯を付勢した櫛付き容器において、キャップ状部材を容易に押し下げることができかつ嵩張らない容器を提案する。【解決手段】上方付勢されたステム２付きの容器体１と、該容器体上部へ、天盤１２外周から垂下させた周壁１３下部を嵌合させたキャップ状部材１１とからなり、該キャップ状部材は、天盤上面から複数の櫛歯２２を並立状態に起立させて縦櫛を形成し、かつ上記周壁１３の一部に指掛け部１８を付形した。【選択図】図２
2004223242.tif 000002
【特許請求の範囲】
【請求項１】
上面から上方付勢させてステム２を起立する容器体１と、
該容器体上部へ、天盤１２外周から垂下させた周壁１３下部を嵌合させたキャップ状部材１１とからなり、
該キャップ状部材は、天盤１２内に水路１５を横設させ、かつ天盤上面から複数の櫛歯２２を起立させるとともに、天盤１２下面から連通管１６を垂下させて上記ステム２  に嵌合させ、又上記周壁１３一部へキャップ状部材押下げ用の指掛け部１８を付形し、
該指掛け部押下げにより、ステム２、連通管１６、水路１５を通り、容器体１内液体が、水路上方の天盤板部分ないし該板部分及び櫛歯に穿設した流路２４を通って流出可能に形成した、ことを特徴とする櫛付き容器。
【請求項２】
上記容器体１は、ステム付きエアゾール缶１Ａ，１Ａ  を左右一対として並べ、かつ筒状連結部材５で一体的に連結させて形成し、
又キャップ状部材１１は、基板１２ａ  上面の左右方向へ水路形成用凹部１４を穿設するとともに、該基板上面の左右両側から櫛歯兼用保護板１７を起立させ、又基板１２ａ  外周から周壁１３を、かつ基板下面の左右から連通管１６，１６  を、それぞれ垂下させた本体部材１１Ａ  と、上板１２ｂ  の左右方向上面から複数の櫛歯２２を起立する櫛歯部材１１Ｂ  とで、上記凹部１４の上部内面へ上板１２ｂ  外周を水密に嵌合させ、かつそれら基板１２ａ  と上板１２ｂ  とで天盤１２を形成させて設け、
キャップ状部材の周壁１３は、容器体１外面へ直接ないし筒状連結部材５を介して嵌合させた、ことを特徴とする請求項１記載の櫛付き容器。
【請求項３】
上記各櫛歯２２が、少なくとも上部を傾斜させた櫛歯である請求項１又は請求項２のいずれかに記載の櫛付き容器。
【請求項４】
上記指掛け部１８を、上記両連通管１６，１６  間に貫通させた透孔１９で形成したことを特徴とする請求項１乃至請求項３のいずれかに記載の櫛付き容器。
【請求項５】
上面から上方付勢させてステム２を起立する容器体１と、
該容器体上部へ、天盤１２外周から垂下させた周壁１３下部を嵌合させたキャップ状部材１１とからなり、
該キャップ状部材は、天盤１２内に水路１５を横設させ、かつ天盤上面から側方に多数の櫛歯２２を縦並設した棒状の柄２９を起立させるとともに、天盤１２下面から連通管１６を垂下させて上記ステム２に嵌合させ、又上記両連通管１６，１６に貫通させた透孔１９を設けてキャップ状部材押下げ用の指掛け部１８を付形し、
該指掛け部押下げにより、ステム２、連通管１６、水路１５、水路上方の天盤板部分、柄２９に穿設した流路２４ａ  を通り、容器体１内液体が、櫛歯間の柄板部分ないし該柄板部分及び櫛歯に穿設した流路２４ｂ  を通って流出可能に形成した、ことを特徴とする櫛付き容器。
【発明の詳細な説明】
【０００１】
【発明の利用分野】
本発明は、櫛付き容器、特に単一のエアゾール缶、或いは左右に並設された１対のエアゾール缶の上部側に櫛を形成した容器に関する。尚、本明細書において、縦櫛とは、容器体上部から複数の櫛歯を並立状態に起立させて形成する櫛をいい、横櫛とは、容器体上部から立設した柄の側方に複数の櫛歯を縦並設した櫛をいうものとする。
【０００２】
【従来の技術】
髪を梳きながら整髪料や毛染め液を頭髪へ容易に塗布できる櫛付き容器として、下記の特許文献１及び特許文献２のものが知られている。
【０００３】
特許文献１の容器は、１個のエアゾール缶のステム上端に付設したキャップ状部材の上面前部より、横櫛、即ち中空の縦長柄前面から吐出孔付き複数櫛歯を前方突出して形成する櫛を立設させ、上記キャップ状部材の上面後部を押し下げることで、ステム、中空柄を介して吐出孔より液体吐出可能としている。
【０００４】
又特許文献２の容器は、筒状連結部材を周囲に嵌合させて並立状態で連結した左右一対のエアゾール缶のステム上端部を、流路兼混合室形成用の横長函体の底壁裏面へ該底壁を貫通して連結させるとともに、上記函体頂壁から上述横櫛を立設し、かつ該横櫛の縦長柄後面に押下げ用指掛け部を付形している。
【０００５】
【特許文献１】特開平９−３０５７５号公報
【特許文献２】特開２００２−４６７６０号公報
【０００６】
【発明の解決しようとする課題】
上記両従来容器は、エアゾール缶のステムに付設したキャップ状部材乃至函体上面から縦長柄を起立したから、容器が嵩張って携帯などの際に不便となる。又、毛染め液などは一般に粘性が高く固着し易いので、上記ステム上端から吐出孔へ至る間の液体流路を洗浄することが望ましいが、上記従来例ではその液体流路の一部を縦長柄の内部で形成しているので、洗浄の手間も大となる。反面櫛歯が側方を向くため、液の塗布、櫛梳きが容易であるという取り扱い上の便利さを備えている。
【０００７】
また、上記不便を避けるためには、上記横櫛に代えて、上記キャップ状部材の頂壁上面から複数櫛歯を起立してなる縦櫛を設けることが考えられるが、この場合には縦櫛の形成スペースをキャップ状部材頂壁の上面に確保するため、該頂壁上面の一部を押下げ操作用の指掛け部とすることが困難となる。
【０００８】
本発明は、上記した横櫛又は縦櫛を備えたキャップ状部材を取り付けた容器であって、より押し下げ易く、操作中の取り扱いが便利で、しかも簡易な構成の櫛付き容器を提案するものである。
【０００９】
【課題を解決するための手段】
第１の手段として、上面から上方付勢させてステム２を起立する容器体１と、該容器体上部へ、天盤１２外周から垂下させた周壁１３下部を嵌合させたキャップ状部材１１とからなり、
該キャップ状部材は、天盤１２内に水路１５を横設させ、かつ天盤上面から複数の櫛歯２２を起立させるとともに、天盤１２下面から連通管１６を垂下させて上記ステム２  に嵌合させ、又上記周壁１３一部へキャップ状部材押下げ用の指掛け部１８を付形し、
該指掛け部押下げにより、ステム２、連通管１６、水路１５を通り、容器体１  内液体が、水路上方の天盤板部分ないし該板部分及び櫛歯に穿設した流路２４を通って流出可能に形成した。
【００１０】
第２の手段として、上記第１  の手段を有し、かつ上記容器体１は、ステム付きエアゾール缶１Ａ，１Ａ  を左右一対として並べ、かつ筒状連結部材５  で一体的に連結させて形成し、
又キャップ状部材１１は、基板１２ａ  上面の左右方向へ水路形成用凹部１４を穿設するとともに、該基板上面の左右両側から櫛歯兼用保護板１７を起立させ、又基板１２ａ  外周から周壁１３を、かつ基板下面の左右から連通管１６，１６  を、それぞれ垂下させた本体部材１１Ａ  と、上板１２ｂ  の左右方向上面から複数の櫛歯２２を起立する櫛歯部材１１Ｂ  とで、上記凹部１４の上部内面へ上板１２ｂ  外周を水密に嵌合させ、かつそれら基板１２ａ  と上板１２ｂ  とで天盤１２を形成させて設け、
キャップ状部材の周壁１３は、容器体１外面へ直接ないし筒状連結部材５を介して嵌合させた。
【００１１】
第３の手段として、上記第１の手段又は第２の手段を有し、かつ上記各櫛歯２２が、少なくとも上部を傾斜させた櫛歯である如く構成した。
【００１２】
第４の手段として、上記第１の手段又は上記第２の手段又は第３の手段を有し、かつ上記指掛け部１８を、上記両連通管１６，１６間に貫通させた透孔１９で形成した。
【００１３】
第５の手段として、上面から上方付勢させてステム２を起立する容器体１と、
該容器体上部へ、天盤１２外周から垂下させた周壁１３下部を嵌合させたキャップ状部材１１とからなり、
該キャップ状部材は、天盤１２内に水路１５を横設させ、かつ天盤上面から側方に多数の櫛歯２２を縦並設した棒状の柄２９を起立させるとともに、天盤１２下面から連通管１６を垂下させて上記ステム２に嵌合させ、又上記両連通管１６，１６に貫通させた透孔１９を設けてキャップ状部材押下げ用の指掛け部１８を付形し、
該指掛け部押下げにより、ステム２、連通管１６、水路１５、水路上方の天盤板部分、柄２９に穿設した流路２４ａ  を通り、容器体１内液体が、櫛歯間の柄板部分ないし該柄板部分及び櫛歯に穿設した流路２４ｂ  を通って流出可能に形成した。
【００１４】
【発明の実施の形態】
図１から図３は、本発明の第１実施形態に係る縦櫛付き容器を示しており、該縦櫛付き容器は、１対のエアゾール缶からなる容器体１と、それらエアゾール缶を連結する筒状連結部材５と、キャップ状部材１１とで構成している。
【００１５】
容器体１は、従来公知の１対のエアゾール缶１Ａ，１Ａを左右に並設しており、各エアゾール缶上面からステム２を上方付勢させて起立している。
【００１６】
筒状連結部材５は、図３に示す如く楕円筒状のものであり、上記エアゾール缶１Ａ，１Ａの外周面が接した状態で両エアゾール缶上部を連結している。図示の筒状連結部材は、図２に示す如く下半筒部を、上記両エアゾール缶１Ａ，１Ａの上部外面へ嵌合させ、かつ上半筒部を、エアゾール缶上面より上方に起立するとともに、上半筒部左右側壁部分を下方へ切り欠き、キャップ状部材押下げ時の後述指掛け部押下げ空間形成用の切欠部６，６を形成している。
【００１７】
キャップ状部材１１は、天盤１２周縁から周壁１３を垂下しており、該周壁下部を上記筒状連結部材５の外面へ上下動可能に嵌合させている。上記天盤１２は、左右長寸で上下に短い薄箱形のもので、その内部に水路１５を形成しており、該水路に連通させて水路下方の天盤裏面部分左右両部から１対の連通管１６，１６を垂下して、これら連通管を上記両エアゾール缶のステム２，２へ嵌合させている。又、水路上方の天盤上板部分上面から、複数の櫛歯２２…を起立し、かつこれら各櫛歯２２，２２間の天盤上板部分にそれぞれ流路２４形成用の透孔を穿設している。尚、これら流路２４は天盤上板部分の下面から各櫛歯２２を貫通して櫛歯上端部に開口する構成としても良い。
【００１８】
好適な図示例では、キャップ状部材１１を本体部材１１Ａ  と櫛歯部材１１Ｂ  とで形成している。本体部材は、上記周壁１３を左右に長い基板１２ａ  から垂下するとともに、該基板を、その周縁部を除いて左右巾広に陥没させて凹部１４としたものであり、又、上記櫛歯部材１１Ｂ  は、上記凹部１４の上部内面を液密に閉塞する上板１２ｂ  の上面に上記複数櫛歯２２…を起立したものであって、これら本体部材の基板１２ａ  と櫛歯部材の上板１２ｂ  とでキャップ状部材の天盤１２を形成している。図示例では、櫛歯部材上板１２ｂ  の下面外周部分から図３に示す如く垂下した長方筒形のシール筒２３を、上記凹部１４の内周面へ密嵌させて、これら凹部１４底壁部分上面とシール筒２３内面と櫛歯部材上板１２ｂ  下面とで上記天盤１２の水路１５を形成している。又、上記凹部１４左右側外方の基板１２ａ  部分上面からは、櫛歯兼保護板１７，１７を起立し、かつ該保護板１７と櫛歯２２との間の上板部分にも上記流路２４，２４を形成している。
【００１９】
上記本体部材周壁１３の上半部には、押下げ操作用の指掛け部１８を設ける。図示例では、本体部材周壁１３の上部の左右両側部分に左右一対の指掛け部１８，１８を設けている。即ち、図２が最も良く示す如く、本体部材周壁１３の上部を、周壁下部に上向き段部を介して連続するように左右方向巾狭に形成し、これら上向き段部を指掛け部としている。
【００２０】
尚、以上の説明した縦櫛付き容器の変形例として、筒状連結部材５を、両エアゾール缶１Ａ，１Ａの上下方向中間部分外面へ嵌合させるとともに、これら両エアゾール缶上部外面へ上記キャップ状部材の周壁１３下部を直接嵌合させることもできる。この場合には、上記筒状連結部材５の上半筒部左右両側部分への切欠部の穿設は省略するものとする。
【００２１】
更に又、図示例と異なり、容器体１を１個のエアゾール缶で形成することもできる。この場合には、上記筒状連結部材５を省略するとともに、キャップ状部材の周壁１３及び基板１２ａ  の左右の巾を短くし、かつ該基板が有する凹部１４底壁部分の中央部から、上記左右１対の連通管に代わる単一の連通管１６を垂設して、該連通管を上記エアゾール缶のステム２へ嵌合させればよい。
【００２２】
上記の構成において、キャップ状部材１１の指掛け部１８に指を掛けて押し下げると、キャップ状部材１１は、図２に想像線で示す如く筒状連結部材５  の外面と摺接しながら両エアゾール缶のステム２，２とともに下降し、該ステムから連通管１６、  水路１５、流路２４を通って液体を櫛歯間の間隙内へ吐出する。又、指掛け部１８の押圧を解放すると、キャップ状部材１１はステム２，２とともに上昇する。
【００２３】
以下本発明の他の実施形態を説明する。その際に第１実施形態と同じ構成については、同一の符号を付することにより説明を省略する。
【００２４】
図４乃至図８は、本発明の第２実施形態を示している。該実施形態は、主として第１実施形態における指掛け部の構造及び位置を変更したものである。
【００２５】
即ち、本実施形態の本体部材１１Ａ  は、図５に示す如くその周壁１３の上半部前後両部分をそれぞれ開口するとともに、これら両開口口縁の一方から他方へ、図６に示す連通管１６，１６の隙間を通って横筒２０を横設して、該横筒の筒孔を本体部材１１Ａ  を貫通する透孔１９とし、該透孔下縁で指掛け部１８を形成している。もっとも、図示例と異なり、上記横筒を省略して本体部材周壁１３の上半部にそれぞれ設けた開口の下縁を、指掛け部とすることもできる。図示例において、上記横筒２０は、正面から見て略矩形状のものであり、かつ横筒上壁を図５に示す如く上記連通管１６，１６間の本体部材の凹部１４底壁部分と兼用するとともに、横筒左右側壁を図６の如く上記両連通管１６，１６の内側部分と連続成形している。
【００２６】
又、筒状連結部材は、上記横筒２０下方の連結部材上半部分に、横筒収納用切欠部６，６を、上記筒状連結部材５の上半部前後両部分に形成している。
【００２７】
図９及び図１０は、本発明の第３実施形態を示すものである。この実施形態では、第２実施形態の透孔１９下半部で形成する指掛け部１８を、断面半円形状とすることで、該指掛け部に指を掛けたときにその指が透孔の左右方向中心位置に位置決めされ、２本のステム２，２の均等押下げが可能となるように構成している。
【００２８】
図１１及び図１２は、本発明の第４実施形態を示すものである。この実施形態では、各櫛歯２２の少なくとも上部を傾斜させて構成しており、また、キャップ状部材等の細部の構成が相違する外は基本的に第４実施形態と同様である。
【００２９】
筒状連結部材５は並設させた一対の容器体１の上端部外周に嵌合させた楕円筒状の周壁５ａ上端よりフランジ５ｂを延設して構成している。また、キャップ状部材１１は、同様に本体部材１１Ａ  と櫛歯部材１１Ｂ  とで構成しており、本体部材１１Ａ  は、各ステム２上端に嵌着させた連通管１６を基板１２ａ  より垂設するとともに、基板１２ａ  中央には同様の凹部１４を形成し、また、基板１２ａ  外周より周壁１３を垂設している。更に、連通管１６，１６の隙間を通って横筒２０を横設して、該横筒の筒孔を本体部材１１Ａ  を貫通する透孔１９とし、該透孔下縁で指掛け部１８を形成している。
【００３０】
櫛歯部材１１Ｂ  は、本体部材１１Ａ  の基板１２ａ  周縁部上に下面周縁部を液密に嵌着させた上板１２ｂ  を備え、この上板１２ｂ  と上記基板１２ａ  とで天盤１２を構成している。また、上板１２ｂ  上に櫛歯兼用保護板１７及び櫛歯２２を立設している。櫛歯兼用保護板１７及び櫛歯２２は、上記した如く少なくとも上部が傾斜した形態をなしており、図示例では、短い垂直な基端部より前方へ上部を傾斜させており、各櫛歯兼用保護板１７は上板１２ｂ  より一体に形成し、各櫛歯２２は成形上の理由から先端部を別部材で構成している。また、上板１２ｂ  に下端を開口した流路２４を各櫛歯２２内に設け、その他端を櫛歯の先端両側に吐出口２５として開口している。
【００３１】
図１３及び図１４は本発明の第５実施形態を示すものであり、上面に横櫛を起立した例を示す。本実施形態において上記横櫛を備える点及び細部の相違点以外は基本的に第４実施形態と同様である。キャップ状部材１１は、同様に本体部材１１Ａ  と櫛歯部材１１Ｂ  とで構成しており、本体部材１１Ａ  は、各ステム２上端に嵌着させた連通管１６を基板１２ａ  より垂設するとともに、基板１２ａ  中央には同様の凹部１４を形成し、その周囲の基板１２ａ  の周縁部は周方向に沿って肉抜きして二重筒状に形成し、両筒部を周方向複数のリブにより連結している。また、肉抜き部分の一部である基板１２ａ  両側を後述嵌合突部を嵌合させるための嵌合孔２６として構成している。更に、基板１２ａ  外周より周壁１３を垂設するとともに、連通管１６，１６の隙間を通って横筒２０を横設して同様の指掛け部１８を形成している。
【００３２】
櫛歯部材１１Ｂ  は、本体部材１１Ａ  の上記凹部１４周面上部に、下面周縁部より垂設したシール筒２７を液密に嵌合させるとともに、外周縁部に嵌合筒２８を嵌合させて嵌着させた上板１２ｂ  を備え、上板１２ｂ  上面から側面に多数の櫛歯２２を縦並設した棒状の柄２９を起立させている。詳しくは、柄２９の前面から一対の櫛歯兼用保護板１７と複数の櫛歯２２とを突設している。櫛歯兼用保護板１７は柄２９前面より上下所定間隔をあけて一対突設し、その間に多数の櫛歯２２を突設している。各櫛歯２２は柄２９とは別部材で構成している。また、柄２９内には下端を水路１５と連通させた流路２４ａを設け、この流路２４ａから各櫛歯２２内の流路２４ｂを通り、その中間部に於いて上下に開口する吐出口２５を設けている。また、上板１２ａ  の両側に於いて上記嵌合孔２６に係脱可能に係合する係合突部３０を設けている。この係合突部３０は、上板１２ａ  両側に設けた切欠部内に突設し、また、上板１２ａ  より下方へ突設した断面Ｕ字状をなす板状突部で外側面に周壁１３内面の下向き段部に係合する係合突起３１を備え、外側上端を内方へ押圧することにより弾性的に変形させて係合突起３１の係合を解除して櫛は部材１１Ｂ  の取り外しが可能に構成している。
【００３３】
【発明の効果】
本発明は上記の構成であり、請求項１の発明によれば次の効果を奏する。
○キャップ状部材１１の周壁１３一部に指掛け部１８を付形したから、該指掛け部を用いて容易にキャップ状部材１１を押し下げることができるとともに、キャップ状部材基板１２ａ  上面側に櫛部形成用のスペースを広くとることができる。
【００３４】
請求項２の発明によれば、次の効果を奏する。
○容器体１を左右一対のエアゾール缶１Ａ，１Ａで形成したから、その左右巾に応じてキャップ状部材の基板１２ａ  上面側に左右方向へ広いスペースを確保でき、かつ上記指掛け部１８をキャップ状部材周壁１３の一部に設けることで上記キャップ状部材基板１２ａ  上面側のスペースのほぼ全てを使って充分な大きさの縦櫛を形成することができる。
○キャップ状部材１１は、基板１２ａ  上面に水路形成用凹部１４を穿設した本体部材１１Ａ  と、上記凹部１４上部内へ上板１２ｂ  外周を水密に嵌合させ、該上板上面から複数櫛歯２２…を起立させた櫛歯部材１１Ｂ  とで形成したから、該櫛歯部材を本体部材１１Ａ  から外して上記凹部１４内部を洗浄することが容易である。
○上記本体部材の基板１２ａ  左右両側から櫛歯兼保護板１７…を起立したから、例えば容器を床面へ取り落としたときに、該床面に櫛歯２２…が直接当って櫛歯部材１１Ｂ  が本体部材１１Ａ  から外れ、該本体部材の凹部１４から液体が周囲へこぼれることを防止できる。
【００３５】
請求項３の発明によれば、各櫛歯２２が傾斜しているため、頭部の広範囲に亘って容器を垂直状に把持しての梳きながらの液の塗布を行えて、更に取り扱い操作が行い易くなる。
【００３６】
請求項４の発明によれば、次の効果を奏する。既述指掛け部１８を、上記本体部材１１Ｂ  の両連通管１６，１６  間に貫通させた透孔１９で形成したから、両連通管間のスペースを利用して指掛け部を形成することができて、容器の構成を簡易とすることができるとともに、本体部材１１Ｂ  周壁の輪郭から指掛け部１８が突出することがなく、容器の保管などの際に邪魔になることがない。
【００３７】
請求項５の発明によれば、上記請求項４の発明と同様に容器の構成を簡易とすることができるとともに、本体部材１１Ｂ  周囲の輪郭から指掛け部１８が突出することがなく、容器の保管等の際に邪魔になることがないとともに、各櫛歯が横向きであるため、請求項３記載の発明同様に取り扱い操作がより行い易くなる。
【図面の簡単な説明】
【図１】本発明の第１の実施形態に係る容器の斜視図である。
【図２】図１容器の正面縦断面図である。
【図３】図１容器の分解斜視図である。
【図４】本発明の第２の実施形態に係る容器の斜視図である。
【図５】図４容器の正面縦断面図である。
【図６】図５のＶＩ−ＶＩ線方向へ見た図４容器の横断面図である。
【図７】図５のＶＩＩ  −ＶＩＩ  線方向へ見た図４容器の縦断面図である。
【図８】図４容器の分解斜視図である。
【図９】本発明の第３の実施形態に係る容器の斜視図である。
【図１０】図９容器の正面縦断面図である。
【図１１】本発明の第４の実施形態に係る容器の縦断面図である。
【図１２】図１１容器の背面半断面図である。
【図１３】本発明の第５の実施形態に係る容器の縦断面図である。
【図１４】図１３容器の一部切欠正面図である。
【符号の説明】
１…容器体，１Ａ…エアゾール缶，２…ステム，５  …筒状連結部材，
１１…キャップ状部材，１１Ａ  …本体部材，１１Ｂ  …櫛歯部材，１２…天盤，
１２ａ  …基板，１２ｂ  …上板，１３…周壁，１５…水路，１６…連通管，
１７…櫛歯兼用保護板，１８…指掛け部，２２…櫛歯，２４，２４ａ  ，２４ｂ  …流路，
２９…柄
【図１】
2004223242.tif 000003
【図２】
2004223242.tif 000004
【図３】
2004223242.tif 000005
【図４】
2004223242.tif 000006
【図５】
2004223242.tif 000007
【図６】
2004223242.tif 000008
【図７】
2004223242.tif 000009
【図８】
2004223242.tif 000010
【図９】
2004223242.tif 000011
【図１０】
2004223242.tif 000012
【図１１】
2004223242.tif 000013
【図１２】
2004223242.tif 000014
【図１３】
2004223242.tif 000015
【図１４】
2004223242.tif 000016